(57)【要約】  一体型ポータブル電池式可変圧力電気液体ポンプ及び電力非常用装置であって、シャーシと、シャーシを支持する１つ又は複数の車輪と、シャーシによって運ばれる電動可変圧力液体ポンプと、液体源から液体目的地まで可変圧力で液体を移送するための可変圧力液体ポンプに電力を供給する１つ又は複数の充電式電池と、停電中に非常用バックアップ電源を提供するための、シャーシによって運ばれ、且つ１つ又は複数の充電式電池によって電力を供給される１つ又は複数のＡＣコンセントとを含む一体型ポータブル電池式可変圧力電気液体ポンプ及び電力非常用装置。
2021512573.tif 000002
【特許請求の範囲】
【請求項１】
一体型ポータブル電池式可変圧力電気液体ポンプ及び電力非常用装置であって、
シャーシ、
前記シャーシを支持する１つ又は複数の車輪、
前記シャーシによって運ばれる電動可変圧力液体ポンプ、
液体源から液体目的地まで可変圧力で液体を移送するための前記可変圧力液体ポンプに電力を供給する１つ又は複数の充電式電池、
停電中に非常用バックアップ電源を提供するための、前記シャーシによって運ばれ、且つ前記１つ又は複数の充電式電池によって電力を供給される１つ又は複数のＡＣコンセント
を含む一体型ポータブル電池式可変圧力電気液体ポンプ及び電力非常用装置。
【請求項２】
無線信号を受信する１つ又は複数の無線通信コンポーネント及び少なくとも１つのハードウェアプロセッサと、前記少なくとも１つのハードウェアプロセッサによって実行されると、
前記少なくとも１つのハードウェアプロセッサ並びに前記１つ又は複数の無線通信コンポーネントによって受信されるWIFI及び無線信号の１つ又は複数を介して、携帯コンピューティングデバイスアプリケーションによる前記非常用装置の遠隔制御を可能にすること
を行う１つ又は複数のソフトウェアモジュールとを含む、請求項１に記載の非常用装置。
【請求項３】
少なくとも１つのハードウェアプロセッサと、前記少なくとも１つのハードウェアプロセッサによって実行されると、
ＦＥＭＡ、ＮＯＡＡ、消防サービス、警察サービス、軍事サービス及びローカル救急サービスの１つ又は複数からの非常警報通信信号を表す入来信号を受信すること、
前記受信された入来信号が、非常事態を示す所定の基準を満たすかどうかを決定すること、
前記受信された入来信号が前記所定の基準を満たすと決定された際、前記１つ又は複数の充電式電池を満充電にさせること
を行う１つ又は複数のソフトウェアモジュールとを含む、請求項１又は２に記載の非常用装置。
【請求項４】
視覚警報器と、前記少なくとも１つのハードウェアプロセッサによって実行されると、前記受信された入来信号が前記所定の基準を満たすと決定された際、前記視覚警報器の作動を生じさせる前記１つ又は複数のソフトウェアモジュールとをさらに含む、請求項１〜３の何れか一項に記載の非常用装置。
【請求項５】
可聴警報器と、前記少なくとも１つのハードウェアプロセッサによって実行されると、前記受信された入来信号が前記所定の基準を満たすと決定された際、前記可聴警報器の作動を生じさせる前記１つ又は複数のソフトウェアモジュールとをさらに含む、請求項１〜４の何れか一項に記載の非常用装置。
【請求項６】
少なくとも１つのハードウェアプロセッサと、前記少なくとも１つのハードウェアプロセッサによって実行されると、
ＦＥＭＡ、ＮＯＡＡ、消防サービス、警察サービス、軍事サービス及びローカル救急サービスの１つ又は複数からの非常警報通信信号を表す入来信号を受信すること、
前記受信された入来信号が、非常事態を示す所定の基準を満たすかどうかを決定すること、
前記受信された入来信号が前記所定の基準を満たすと決定された際、搭載電気機器及び補助電気機器の１つ又は複数の作動を生じさせること
を行う１つ又は複数のソフトウェアモジュールとを含む、請求項１〜５の何れか一項に記載の非常用装置。
【請求項７】
ユーザ制御及び表示パネル並びに少なくとも１つのハードウェアプロセッサと、前記少なくとも１つのハードウェアプロセッサによって実行されると、
前記可変圧力液体ポンプが前記ユーザ制御及び表示パネルを介して作動される際、前記可変圧力液体ポンプの水圧、前記１つ又は複数の充電式電池の電池残り時間及び前記１つ又は複数の充電式電池の充電ステータスを前記ユーザ制御及び表示パネルに表示させること
を行う１つ又は複数のソフトウェアモジュールとをさらに含む、請求項１〜６の何れか一項に記載の非常用装置。
【請求項８】
ユーザ制御及び表示パネル並びに少なくとも１つのハードウェアプロセッサと、前記少なくとも１つのハードウェアプロセッサによって実行されると、
前記可変圧力液体ポンプが前記ユーザ制御及び表示パネルを介して作動される際、液体源の残りの供給量の持続時間及び体積の少なくとも一方を前記ユーザ制御及び表示パネルに表示させること
を行う１つ又は複数のソフトウェアモジュールとをさらに含む、請求項１〜７の何れか一項に記載の非常用装置。
【請求項９】
ユーザ制御及び表示パネル並びに少なくとも１つのハードウェアプロセッサと、前記少なくとも１つのハードウェアプロセッサによって実行されると、
前記可変圧力液体ポンプが前記ユーザ制御及び表示パネルを介して作動される際、火災に対処する可変圧力で前記電動可変圧力液体ポンプの起動を開始すること
を行う１つ又は複数のソフトウェアモジュールとをさらに含む、請求項１〜８の何れか一項に記載の非常用装置。
【請求項１０】
ユーザ制御及び表示パネル並びに少なくとも１つのハードウェアプロセッサと、前記少なくとも１つのハードウェアプロセッサによって実行されると、
前記可変圧力液体ポンプが前記ユーザ制御及び表示パネルを介して作動される際、洪水に対処する可変圧力で前記電動可変圧力液体ポンプの起動を開始すること
を行う１つ又は複数のソフトウェアモジュールとをさらに含む、請求項１〜９の何れか一項に記載の非常用装置。
【請求項１１】
ユーザ制御及び表示パネル並びに少なくとも１つのハードウェアプロセッサと、前記少なくとも１つのハードウェアプロセッサによって実行されると、
前記可変圧力液体ポンプが前記ユーザ制御及び表示パネルを介して作動される際、エリア水圧の喪失に対処する可変圧力で前記電動可変圧力液体ポンプの起動を開始すること
を行う１つ又は複数のソフトウェアモジュールとをさらに含む、請求項１〜１０の何れか一項に記載の非常用装置。
【請求項１２】
ユーザ制御及び表示パネル並びに少なくとも１つのハードウェアプロセッサと、前記少なくとも１つのハードウェアプロセッサによって実行されると、
対応する入力が前記ユーザ制御及び表示パネルを介して作動される際、停電中に非常用バックアップ電源を提供するために前記１つ又は複数の充電式電池を介して前記１つ又は複数のＡＣコンセントに電力を供給すること
を行う１つ又は複数のソフトウェアモジュールとをさらに含む、請求項１〜１１の何れか一項に記載の非常用装置。
【請求項１３】
前記１つ又は複数の車輪に電力を供給するための電気モータ及び少なくとも１つのハードウェアプロセッサと、前記少なくとも１つのハードウェアプロセッサによって実行されると、
対応する入力が前記非常用装置において作動される際、前記１つ又は複数の車輪を前進させるために前記１つ又は複数の充電式電池を介して前記電気モータに電力を供給すること
を行う１つ又は複数のソフトウェアモジュールとをさらに含む、請求項１〜１２の何れか一項に記載の非常用装置。
【請求項１４】
ユーザ制御及び表示パネル、１つ又は複数のウルトラキャパシタ並びに少なくとも１つのハードウェアプロセッサと、前記少なくとも１つのハードウェアプロセッサによって実行されると、
対応する入力が前記ユーザ制御及び表示パネルを介して作動される際、前記可変圧力液体ポンプのプライミングを行うために前記可変圧力液体ポンプに電力を供給するように前記１つ又は複数のウルトラキャパシタを従事させること
を行う１つ又は複数のソフトウェアモジュールとをさらに含む、請求項１〜１３の何れか一項に記載の非常用装置。
【発明の詳細な説明】
【技術分野】
【０００１】
発明の分野
本発明は、概して、ポータブル電気式可変圧力液体ポンプに関し、特にポータブル電気式液体消防ポンプ及び液体移送ポンプ、電池バックアップ電力供給、遠隔警報モニタリング及びトリガリング並びにエリア水圧の昇圧に関する。
【背景技術】
【０００２】
背景
米国及び世界各国における変化する気候、気象及び建造物パターンにより、多くの住宅及び商業用不動産が洪水及び山火事事象のより近くに配置されている（https://www.wsj.com/articles/why-californians-were-drawn-toward-the-fire-zones-1544202053?mod=searchresults&page=1&pos=1）。カリフォルニア州のみで１００万を超える住宅が火災の高い又は非常に高いリスクにさらされている（Jonathan Cooper, AP SDUT C2 1/5/2018）。山火事が生じる頻度の増加、より長い年間の火災シーズン、その結果生じる地域の消火用資源の減少並びに「防御可能な空間」及び「屋内退避」の両方の実現という公式な助言により、このような非常事態時に自助の必要性が高まっている。
【０００３】
北及び南カリフォルニアの山火事の最近のニュース映像は、自らの財産を守るために水まき用ホースを使用する捨て身の住宅所有者らを取り上げた。このような低圧の解決策では、防御の可能性が限られている。また、このような近接戦術は、素人の対応者を危険と隣り合わせの範囲内に置く。急速な延焼及び考えられる地形的アクセス制限（煙、洪水、地滑り、停電、木又は岩の落下）は、プロ又はボランティアの救急隊員が特定の住宅用地又は企業にアクセスすることを遅延させるか又は阻止する可能性がある。
【０００４】
消火及び防火のために幾つかの個人用ポータブルディーゼル及びガス燃料消防ポンプが入手可能であるが、それらの燃料源の性質により、火災状況での使用及び維持が困難となる。ガス及びディーゼル燃料消防ポンプは、燃料タンクのサイズ、火災事象の近くで引火性液体を保存し且つそれにアクセスする必要性及び送水ポンププライミングに関連する複雑な問題により、元来制限を受ける。さらに、内燃機関の始動及び制御は、緊急を要する事象中では比較的複雑なプロセスである。電動システムに関する特許及び製品は、明らかに産業用途又は大規模な商業用途のものであり、限られた可搬性を有する。
【０００５】
さらに、一部の住宅所有者、オフィス及び産業は、複数の非常事態に同時に、相次いで又は一時的に直面する（洪水、火災、電力の喪失及び／又はエリア水圧の喪失に対処する必要がある）。
【発明の概要】
【発明が解決しようとする課題】
【０００６】
発明の概要
上記で概説した様々な非常事態に対処できる、完全一体型のポータブルなユーザプログラム可能及び遠隔トリガされるプラットフォームを含むか又はそれを具現化する製品の必要性が認識されている。
【課題を解決するための手段】
【０００７】
本発明の一態様は、洪水、火災、エリア水圧の喪失及び停電を含む様々な非常事態に対する対処及びモニタリングが可能である、ユーザプログラム可能及び遠隔トリガ可能なプラットフォームである非常用装置である。本発明は、個人、住宅、軍事、商業及び緊急サービス用途のための一体型電池式ポータブル可変圧力電気液体ポンプ及び電力システムからなる。システム全体は、健常者による移動が可能であるようにそれをポータブルにする車輪付きカート上にある。カートは、その可搬性を向上させるために、プラットフォームの後輪に電力を供給する電気モータを特徴とする。
【０００８】
非常用装置は、電子非常信号及び警報信号を検出するために様々な無線周波数をモニタリングする能力を有し、これらの電子非常信号及び警報信号は、次に、警報器（視覚及び音声）をトリガし、様々な搭載及び補助電気機器を起動させ、及び／又は装置の満電池充電を開始し得る。装置は、特定の一連の予め設定された及び／又はユーザプログラム可能な機能を可能にするようにユーザによって構成され得る。さらに、非常用装置は、WIFI、無線又は電話アプリケーションにより遠隔で制御されるように設計される。
【０００９】
非常用装置は、商業、市民、産業、軍事及び緊急サービスの職員及び購入者に、消火、防火及び液体ポンピング及び移送（洪水の緩和）の支援、水道システムの圧力昇圧能力並びに常時又はバックアップ自宅／オフィス電源として使用され得る電池システムを提供する。
【００１０】
非常用装置は、ポータブルであり、その主電源は、追加の電力選択肢を有する充電式電池である。非常用装置は、そのプラットフォームの後輪に電力を供給し、且つその可搬性を支援するための電気モータを特徴とする。それは、電動可変圧力液体ポンプをさらに含む。
【００１１】
無人で、非常用装置は、電池充電及び／又は他のユーザ定義非常機能（すなわち可聴及び／又は視覚警報器、ローカル電力供給の増大、液体ポンピング及び移送、ローカル水道システムの圧力増補など）をトリガするための非常警報をＦＥＭＡ、ＮＯＡＡ並びに他のローカル及び地域の消防、警察、軍事及び／又はローカル救急サービス（例えば、SDEmergency）から受信する。非常用装置は、特定の一連の予め設定された及び／又はユーザプログラム可能な機能を可能にするようにさらに構成され得る。さらに、非常用装置は、WIFI、無線又は電話信号を用いて、権限を与えられたユーザによって遠隔でトリガ及び／又は制御され得る。
【００１２】
非常用装置の中央処理装置（ＣＰＵ）は、システムの電力管理を提供する。非常用装置の制御パネルであるグラフィカルユーザインタフェース（ＧＵＩ）及びディスプレイは、水圧、電池残り時間及び充電ステータスを含む情報を提供する。ユーザ入力を用いて、ＣＰＵは、非常用装置の残りの液体源供給量を分又はガロン単位で計算及び表示することができる。任意選択的な搭載接続デバイス（すなわち携帯電話、タブレットなど）は、風速、天気予報及び映像最新情報を含むリアルタイムの非常情報を表示するためのものであるが、ＣＰＵは、無線で及び搭載ＵＳＢデータポートを通しての両方で外部の緊急サービス放送とインタフェースを取る能力を有する。
【００１３】
本発明の別の態様は、一体型ポータブル電池式可変圧力電気液体ポンプ及び電力非常用装置であって、シャーシと、シャーシを支持する１つ又は複数の車輪と、シャーシによって運ばれる電動可変圧力液体ポンプと、液体源から液体目的地まで可変圧力で液体を移送するための可変圧力液体ポンプに電力を供給する１つ又は複数の充電式電池と、停電中に非常用バックアップ電源を提供するための、シャーシによって運ばれ、且つ１つ又は複数の充電式電池によって電力を供給される１つ又は複数のＡＣコンセントとを含む一体型ポータブル電池式可変圧力電気液体ポンプ及び電力非常用装置に関する。
【００１４】
本発明の直上に記載した態様の１つ又は複数の実装形態は、以下の１つ又は複数に関する：非常用装置は、無線信号を受信する１つ又は複数の無線通信コンポーネント及び少なくとも１つのハードウェアプロセッサと、少なくとも１つのハードウェアプロセッサによって実行されると、少なくとも１つのハードウェアプロセッサ並びに１つ又は複数の無線通信コンポーネントによって受信されるWIFI及び無線信号の１つ又は複数を介して、携帯コンピューティングデバイスアプリケーションによる非常用装置の遠隔制御を可能にすることを行う１つ又は複数のソフトウェアモジュールとを含み；非常用装置は、少なくとも１つのハードウェアプロセッサと、少なくとも１つのハードウェアプロセッサによって実行されると、ＦＥＭＡ、ＮＯＡＡ、消防サービス、警察サービス、軍事サービス及び／又はローカル救急サービスの１つ又は複数からの非常警報通信信号を表す入来信号を受信すること、受信された入来信号が、非常事態を示す所定の基準を満たすかどうかを決定すること、受信された入来信号が所定の基準を満たすと決定された際、１つ又は複数の充電式電池を満充電にさせることを行う１つ又は複数のソフトウェアモジュールと；視覚警報器と、少なくとも１つのハードウェアプロセッサによって実行されると、受信された入来信号が所定の基準を満たすと決定された際、視覚警報器の作動を生じさせる１つ又は複数のソフトウェアモジュールと；可聴警報器と、少なくとも１つのハードウェアプロセッサによって実行されると、受信された入来信号が所定の基準を満たすと決定された際、可聴アームの作動を生じさせる１つ又は複数のソフトウェアモジュールと；少なくとも１つのハードウェアプロセッサと、少なくとも１つのハードウェアプロセッサによって実行されると、ＦＥＭＡ、ＮＯＡＡ、消防サービス、警察サービス、軍事サービス及び／又はローカル救急サービスの１つ又は複数からの非常警報通信信号を表す入来信号を受信すること、受信された入来信号が、非常事態を示す所定の基準を満たすかどうかを決定すること、受信された入来信号が所定の基準を満たすと決定された際、搭載電気機器及び補助電気機器の１つ又は複数の作動を生じさせることを行う１つ又は複数のソフトウェアモジュールと；ユーザ制御及び表示パネル並びに少なくとも１つのハードウェアプロセッサと、少なくとも１つのハードウェアプロセッサによって実行されると、可変圧力液体ポンプがユーザ制御及び表示パネルを介して作動される際、可変圧力液体ポンプの水圧、１つ又は複数の充電式電池の電池残り時間及び１つ又は複数の充電式電池の充電ステータスをユーザ制御及び表示パネルに表示させることを行う１つ又は複数のソフトウェアモジュールと；ユーザ制御及び表示パネル並びに少なくとも１つのハードウェアプロセッサと、少なくとも１つのハードウェアプロセッサによって実行されると、可変圧力液体ポンプがユーザ制御及び表示パネルを介して作動される際、液体源の残りの供給量の持続時間及び体積の少なくとも一方をユーザ制御及び表示パネルに表示させることを行う１つ又は複数のソフトウェアモジュールと；ユーザ制御及び表示パネル並びに少なくとも１つのハードウェアプロセッサと、少な��とも１つのハードウェアプロセッサによって実行されると、可変圧力液体ポンプがユーザ制御及び表示パネルを介して作動される際、火災に対処する可変圧力で電動可変圧力液体ポンプの起動を開始することを行う１つ又は複数のソフトウェアモジュールと；ユーザ制御及び表示パネル並びに少なくとも１つのハードウェアプロセッサと、少なくとも１つのハードウェアプロセッサによって実行されると、可変圧力液体ポンプがユーザ制御及び表示パネルを介して作動される際、洪水に対処する可変圧力で電動可変圧力液体ポンプの起動を開始することを行う１つ又は複数のソフトウェアモジュールと；ユーザ制御及び表示パネル並びに少なくとも１つのハードウェアプロセッサと、少なくとも１つのハードウェアプロセッサによって実行されると、可変圧力液体ポンプがユーザ制御及び表示パネルを介して作動される際、エリア水圧の喪失に対処する可変圧力で電動可変圧力液体ポンプの起動を開始することを行う１つ又は複数のソフトウェアモジュールと；ユーザ制御及び表示パネル並びに少なくとも１つのハードウェアプロセッサと、少なくとも１つのハードウェアプロセッサによって実行されると、対応する入力がユーザ制御及び表示パネルを介して作動される際、停電中に非常用バックアップ電源を提供するために１つ又は複数の充電式電池を介して１つ又は複数のＡＣコンセントに電力を供給することを行う１つ又は複数のソフトウェアモジュールと；１つ又は複数の車輪に電力を供給するための電気モータ及び少なくとも１つのハードウェアプロセッサと、少なくとも１つのハードウェアプロセッサによって実行されると、対応する入力が非常用装置において作動される際、１つ又は複数の車輪を前進させるために１つ又は複数の充電式電池を介して電気モータに電力を供給することを行う１つ又は複数のソフトウェアモジュールと；及び／又はユーザ制御及び表示パネル、１つ又は複数のウルトラキャパシタ並びに少なくとも１つのハードウェアプロセッサと、少なくとも１つのハードウェアプロセッサによって実行されると、対応する入力がユーザ制御及び表示パネルを介して作動される際、可変圧力液体ポンプのプライミングを行うために可変圧力液体ポンプに電力を供給するように１つ又は複数のウルトラキャパシタを従事させることを行う１つ又は複数のソフトウェアモジュールとを含む。
【図面の簡単な説明】
【００１５】
図面の簡単な説明
【図１】一体型ポータブル非常用装置の一実施形態の側面図である。
【図２】非常用装置の電気システムの一実施形態を示すブロック図である。
【図３Ａ】非常用装置の電気システム及びコンピュータシステムにおける例示的電力命令関係を示す概略図である。
【図３Ｂ】非常用装置の電気システム及びコンピュータシステムにおける例示的データ命令関係を示す概略図である。
【図４】非常用装置のユーザ制御、インタフェース及びモニタリングシステムの一実施形態の図である。
【図５】非常用装置の可変圧力電気液体ポンプシステムの一実施形態の図である。
【図６】一実施形態による、本明細書に記載のプロセスの１つ又は複数が実施され得る例示的インフラを示す。
【図７】一実施形態による、それによって本明細書に記載のプロセスの１つ又は複数が実行され得る例示的処理システムを示す。
【図８】消火及び火災制御のために非常用装置を使用する例示的プロセスのフローチャートである。
【図９】洪水制御のために非常用装置を使用する例示的プロセスのフローチャートである。
【図１０】圧力喪失の場合に住宅又は他の施設の水圧を昇圧させるために非常用装置を使用する例示的プロセスのフローチャートである。
【図１１】電池エネルギー貯蔵により、非常事態に対して内蔵電源を提供するために非常用装置を使用する例示的プロセスのフローチャートである。
【図１２】無線及び／又はラジオ非常放送を継続的にモニタリングし、警報が出された場合に自動機能を行うために非常用装置を使用する例示的プロセスのフローチャートである。
【発明を実施するための形態】
【００１６】
詳細な説明
図１〜７を参照して、洪水の緩和、防火又は消火（例えば、液体、ゲル又は泡状物質の移送又はポンピング）、エリア水圧の喪失（例えば、水圧の昇圧）並びに個人、住宅、軍事、商業及び緊急サービス用途の停電（例えば、ＡＣ電力の増補）を含む様々な非常事態に対する対処及びモニタリングが可能な一体型電池式ポータブル可変圧力電気液体ポンプ及び電力非常用装置（「非常用装置」）１００の一実施形態を説明する。非常用装置１００は、１）非常用装置のシャーシ及びハウジング、２）非常用装置の電気システム、３）非常用装置のコンピュータシステム、４）非常用装置のユーザ制御／表示及びモニタリングシステム、及び５）非常用装置の液体ポンプシステムの実施形態を含み、これらのそれぞれを以下に順番に説明する。
【００１７】
１．非常用装置のシャーシ及びハウジング
図１は、非常用装置１００の非常用装置シャーシ及びハウジング１１０の一実施形態を示す。図示した実施形態では、シャーシ及びハウジング１１０は、健常者による移動が可能であるようにそれをポータブルにする車輪付きカートである。非常用装置１００は、非常用装置の可搬性を向上させるために後輪１１４に電力を供給する電気モータ１１２を含む。非常用装置１００は、代替的に、保管のため又はモニタリング若しくは電力増補モードで使用するために固定位置に配置され得る。
【００１８】
カート１１０は、水平フレーム部材２００、垂直フレーム部材２１０及び垂直フレーム部材２１０から横方向後方に延在する１つ又は複数のハンドルグリップ２３０を有する水平ハンドルフレーム部材２２０を備えたＬ字形フレーム１９０を含む。２つの後輪１１４に電力を供給する電気モータ１１２を制御するために、可変速スロットル２３２が１つ又は複数のグリップ２３０の１つに配置される。スロットル２３２は、オン／オフ、ニュートラル、リバース及び可変速選択肢を有する。スイベル２５２上の回転前輪２５０は、追加の支持及び方向安定性を非常用装置１００に与える。
【００１９】
ユーザ制御及び表示パネル２９０は、水平ハンドルフレーム部材２２０によって支持される。１つ又は複数のモニタリング及びコンピュータシステム２９２がユーザ制御及び表示パネル２９０の下に配置され、垂直フレーム部材２１０に取り付けられる。サクションホースハンガー２９３及び消防ホースハンガー２９５は、垂直フレーム部材２１０の反対側に配置される。電気ポンプ／コンプレッサ／加圧器１２０は、支持体２０４、２０６を介して水平フレーム部材２００によって支持される。
【００２０】
２．非常用装置の電気システム
図２をさらに参照して、様々な電気システム及び特徴を含む非常用装置１００の電気システム２９４の一実施形態を説明する。
【００２１】
システムの電源は、コネクタのＡＣ線２６０を用いた標準電源コードにより接続された外部１２０Ｖ電源及び／又は１つ若しくは複数の搭載型交換可能、取り外し可能、ホットスワップ可能な充電式電池１３０を含む。電池１３０及び充電式搭載ウルトラキャパシタ１４０は、垂直フレーム部材２１０によって支持される。充電式電池１３０を使用して電気式消防ポンプ／コンプレッサ／加圧器１２０、１つ又は複数の電気車輪モータ１１２並びに１つ又は複数のモニタリング及びコンピュータシステム２９２に電力を供給するために電力管理回路網がシステム２９４に組み込まれる。１つ又は複数の充電式ウルトラキャパシタ１４０は、電気式消防ポンプ／コンプレッサ／加圧器１２０の始動及び／又はプライミングを行うために初期電流サージを提供する。
【００２２】
充電式電池１３０及び１つ又は複数のウルトラキャパシタ１４０の両方が密封され、それらのコネクタは、損傷を受けた場合、水没した場合或いは水又は何らかの導電性液体若しくは固体と接触した場合に誤放電を防止するために、装置のシャーシ及びハウジング１１０内に機械的に組み込まれる際に封入される。非常用装置１００は、非常用装置１００が損傷を受けた場合又は水若しくは何らかの導電性液体中に沈んだ場合、その電源の放電を防止するための回路網を含む。充電式電池１３０及び１つ又は複数のウルトラキャパシタ１４０の両方は、非常用／軍用グレードのものであり、且つ高熱及び火に耐性がある。電源の特徴は、以下の１つ又は複数を含む。
・ポータブル使用目的の単一又は複数の積み重ね可能及び再充電可能な電池を用いて電力を供給される電池、
・システムを始動させ、且つシステムを１時間稼働させる単一充電電池、
・外部ＡＣ１２０Ｖ電源接続動作及び／又は電池再充電、
・初期電気モータ電力サージのための１つ又は複数のウルトラキャパシタ、
・ホットスワップ可能な全電源。
【００２３】
例示的なＡＣ電力増補使用方法を説明する。非常用装置１００は、通常動作中並びに非常警報モニタリング及びトリガリングの待機モードの両方において、電池又はＡＣ電源を動力源とする。待機モードでは、電池及びウルトラキャパシタ１４０は、最適な充電率まで充電され、その後、手動で又はユーザが割り当て及び指定を行った遠隔信号によって自動的に満充電を行うようにトリガされる。このような起動は、着脱可能な１，０００ルーメンフラッシュライト／ストロボ２９８及び／又は１２０ｄｂ可聴警報器３００もトリガするようにプログラムされ得る。
【００２４】
電気式消防ポンプ／コンプレッサ／加圧器１２０は、代替的に、電源コード２９６を外部１２０ボルトＡＣ電源に接続することによって電力を供給され得る。事前警告により、非常用装置１００は、手動で充電される。非常用装置１００は、ユニットの電池１３０を充電すると同時に、電力のために利用可能なＡＣ（１１０Ｖ）又は任意選択的な太陽電池３０２に依存し得る。
【００２５】
１つ又は複数のコネクタのＡＣ線２６０は、１つ又は複数の充電式電池１３０を充電するために設けられる。電池１３０は、充電装置３０４内にありながら、１２０ボルトＡＣ電源により外的に充電されることも可能である。
【００２６】
３つ以上の１５アンペア１２０ＶのＡＣコネクタ／コンセント３０６は、インバータ３０８を介して補助デバイス（例えば、照明、排水ポンプ、家電）に電力を供給するために搭載されて配置される。各搭載コンセント３０６への電力は、スイッチ位置に応じて手動で又は遠隔でトリガされるようにユーザにより予め設定され得る。
【００２７】
電気モータコントローラ３６０は、可変速電気ポンプ／コンプレッサ／加圧器１２０を制御する。
【００２８】
３．非常用装置のコンピュータシステム
図３Ａは、非常用装置１００の電気及びコンピュータシステムにおける電力命令関係を図示する。
【００２９】
図３Ｂは、非常用装置１００の電気及びコンピュータシステムにおけるデータ命令関係を図示する。
【００３０】
ＣＰＵ３２０は、制御及び表示システムを管理すると同時に、非常用装置の電力、通信及びモニタリングシステムの管理及び統合を行う。任意選択的な携帯電話、タブレット及び／又はコンピュータデバイスは、無線、Bluetooth、WIFIによって（ＵＳＢドングル又はＵＳＢ無線ポート３７０を介して非常用装置１００に接続され、ユーザ制御装置の増強、非常信号及び／又はウェブサイトのモニタリング、及び／又はユーザが提供する遠隔ドローンの制御及びモニタリングが行われる。
【００３１】
ＣＰＵ３２０の特徴は、以下の１つ又は複数を含む：
・搭載伸縮アンテナ３７６又は接続された外部アンテナ３７８、携帯電話受信機回路網により又はユーザが提供する無線接続デバイスのＵＳＢにより無線周波数（ＲＦ）信号を検出するために内部及び外部入力をモニタリングし、
・ＡＣ電力入力の存在をモニタリングし、
・電池電力をモニタリングし、且つ電池の充電を有効にし（充電回路に対するオン／オフ）、
・システム活動をモニタリングし、残りの電池電力並びに様々なシステム状態及び電力負荷における残り時間を動的に計算し、
・回転スイッチ３１４（図４）を用いた選択可能なユーザ調整可能入力により、ポンプモータ電力及び周波数（従って出力ＰＳＩ及びＧＰＭ）を調整し、
・望ましい残りの使用時間を決定するために、残りの電池電力からリアルタイムの計算により、ポンプコントローラモータ入力電力及び周波数（従って出力ＰＳＩ及びＧＰＭ）を自動的に調整し、
・電池寿命、残りの液体体積及びポンプ流量を動的に計算し、
・ＵＳＢポート又は他の共通データインタフェースを用いてデータの送信及び受信を行い、
・搭載及び外部アンテナからの変調情報を変換して、スピーカを用いて可聴情報を出し、
・ＬＥＤインジケータ及び表示内容（ＬＣＤ又はセグメント化）を管理する。
【００３２】
４．非常用装置のユーザ制御／表示及びモニタリングシステム
図４をさらに参照して、非常用装置１００のユーザ制御、インタフェース及びモニタリングシステム３５０を説明する。
【００３３】
非常用装置１００が外部の１２０ＶのＡＣ電源又は搭載充電電池１３０に接続されていることを条件として、回転スイッチ３１４は、様々なタスクを多様な非常用装置システムに割り当てる。
【００３４】
第１のスイッチ位置３５２は、オフ（OFF）である。これは、全ての非常用装置システムを内部及び外部電源から切り離す。
【００３５】
第２のスイッチ位置３５４は、オン（ON）である。これは、搭載ＡＣコネクタ／コンセント３０６、駆動輪電気モータ１１２並びにユーザ制御及び表示パネル２９０に供給するために非常用装置の電気システムに電力を供給する。
【００３６】
第３のスイッチ位置３５６は、待機（STANDBY）である。これは、その存在が、電池充電の満充電、ユーザ所定流量でのポンプ１２０の起動並びに搭載ＡＣコネクタ／コンセント３０６の制御及びモニタリングを含む（ただし、これらに限定されない）ユーザが予め設定した機能をトリガし得る外部の無線、WIFI及び電話信号をモニタリングするように非常用装置１００を構成する。
【００３７】
第４の位置３５８のプライミング（PRIME）は、全ての非常用装置システムへの電源をオンにし、１つ又は複数のウルトラキャパシタ１４０を従事させ、且つ予め割り当てられた周波数及びアンペア数率を電気ポンプモータコントローラ３６０に送ることにより、ポンプシステム１２０のプライミングを提供する。
【００３８】
スイッチがこの位置にあるとき、電力は、ＡＣコネクタ／コンセント３０６に流れない。
【００３９】
第５の位置３６２では、可変圧力（VARIABLE PRESSURE）は、全ての非常用装置システムへの電源をオンにし、且つ様々な電流及び周波数率を電気ポンプモータコントローラ３６０に送ることにより、ユーザが低〜高の液体圧力を手動で制御することを可能にする。スイッチがこの位置にあるとき、電力は、ＡＣコネクタ／コンセント３０６に流れない。ポンプ弁３６４からのフィードバック回路は、一方の低圧ホース継手アダプタ３６６が検出された場合、圧力が８０ＰＳＩを超えることを許可しない。付随するディスプレイ３６８は、液体圧力（ポンド／平方インチ単位）及び流量（ガロン／分単位）を示す。
【００４０】
非常用装置１００は、多様なユーザ定義タスクを行うために、手動で又は電話、無線若しくはWIFI信号によって遠隔で起動され得る。さらに、非常用装置１００は、ユーザによってプログラミングされ得、且つ特に地理位置及び遠隔計測ステータスを提供することができる任意選択的なアプリケーションとリンクするために、任意選択的なタブレット、電話及び／又はコンピュータと無線で又はＵＳＢポート３７０を介して接続するように構成され得る。任意選択的な電話又はタブレットを物理的に支持するためのクレードル３７２は、ユーザ制御及び表示パネル２９０の上側に位置する。
【００４１】
火災又は洪水状況の場合、非常用装置１００は、様々な速度及び圧力で液体を移送するために配備され得る。さらに、非常用装置１００は、ＡＣ電源、非常事態モニタリング及び洪水の緩和のためのユーザ定義機能の起動を提供することができる。
【００４２】
リアルタイムの通知及び最新情報をモニタリングするために特定の周波数に微調整することができる回転スイッチ３７４は、多様な非常用及び放送帯域をモニタリングするために割り当てられる。システムの受信機は、同時に、伸縮アンテナ３７６、内部アンテナ及び／又は外部同軸コネクタ３７８及びアンテナを用いて、様々な非常信号（ＦＥＭＡ、ＮＯＡＡ、軍事、ローカル非常周波数など）を検出するためにモニタリングを行い、多様なユーザ定義タスク（搭載電池を満充電すること、視覚又は音の警報器を作動させること、搭載ＡＣコンセントに電力を供給することなど）をトリガさせる。ディスプレイ３７９は、１つ又は複数のモニタリングされる非常用及び放送帯域に関連する情報を表示する。非常事態中は、搭載スピーカ３８０は、音声警報、並びに様々な非常事態管理局（ＦＥＭＡ、ＮＯＡＡなど）並びにローカルテレビ及びラジオ局からのモニタリングを提供することができる。可聴警報器リセット（例えば、ＬＥＤ及びプッシュスイッチ）３８１は、可聴警報器３００をリセットする。スピーカ音量及びオン／オフ制御装置３８２は、その出力を調節するか、又は任意選択的に接続された電話若しくはタブレットデバイスからの音声を増幅させる。チューニング制御装置３８３を使用して、１つ又は複数のモニタリングされる非常用及び放送帯域の周波数をチューニングする。
【００４３】
複数のＬＥＤライト３８４（例えば、６個のＬＥＤライト）は、何れの警報信号が非常用装置をトリガしたかを示す。このアレイ中の７番目のボタン３８６は、ユーザがこれらのインジケータをリセットすることを可能にする。
【００４４】
複数のＵＳＢ差込口３７０（例えば、３つのＵＳＢ差込口）は、電力及び装置と他の多様なユーザが提供する機器（携帯電話、コンピュータ及びタブレットなど）との間のデータ転送を提供するためにユーザ制御及び表示パネル２９０上に取り付けられる。このような任意選択的な機器は、セットアップサポート、追加のディスプレイ及び制御選択肢並びにシステムソフトウェア及びファームウェアの更新のためのインタフェースをユーザに提供する。
【００４５】
１つ又は複数のインジケータ３９０は、リアルタイムの電流消費に基づいた、各電池１３０に関する充電率及び残りの稼働時間（分単位）を含む１つ又は複数の充電式電池の充電ステータスを表示する。１つ又は複数のインジケータ３９１は、ＡＣコンセント３０６のステータスを表示する。さらに、ＬＥＤインジケータ／再充電スイッチ３９２は、１つ又は複数のウルトラキャパシタ１４０の充電ステータスを示す。
【００４６】
５．非常用装置の液体ポンプシステムの特徴
図５をさらに参照して、非常用装置の油圧及び電気機械システム４００を説明する。
【００４７】
電気ポンプ／コンプレッサ／加圧器１２０は、可変速電気モータ４０２、インペラ４０４及びディフューザ４０６を含む。
【００４８】
システム４００は、吸入カプラ４０８（例えば、２インチの吸入カプラ）において、フィルタ弁／ストレーナ１６０を備えた提供されるサクションホース１５０（例えば、２０フィートの直径２〜３インチのカムロックサクションホース）に接続する。システム４００は、放出カプラ４１０（例えば、２インチの放出カプラ）における接続のために、標準消防ホース／リンク機構１７０及びストリーム又はスプレーノズル１８０と適合する。システム４００は、洪水の場合に液体の吸入及び放出に使用される標準２インチ継手４１４を備えて提供される標準消防ホース１７０にも接続することができる。
【００４９】
システム４００は、低圧（３０〜８０ｐｓｉ）でクローズドシステムエリア水圧又は圧力増補を促進又は提供するために、ユーザ修正エリア配管又はスプリンクラーシステムと直列に配置され得る継手アダプタ３６６を介して、提供される直径５／８インチの強化ホース４１６、４１８にも接続され得る。５／８インチのホース４１６、４１８は、着脱可能な継手アダプタ（５／８インチ〜２インチ）３６６を介してポンプの吸入及び／又は放出カプラ４０８、４１０に接続される。一方の継手アダプタ３６６がＣＰＵ３２０によって検出されると、フィードバック回路は、液体ポンプ１２０が８０ｐｓｉを超える圧力で動作することを防止する。このモードでは、装置１００は、追加的にパワーウォッシャーとして機能し得る。
【００５０】
非常用装置の油圧及び電気機械システム４００は、以下の特徴の１つ又は複数を含む：
・電動遠心モータ；逆流防止弁を用いたセルフプライミング
・可変圧力（公称３０〜２００ポンド／平方インチ）を生じさせる能力
・可変流量（５０〜５００ガロン／分）を生じさせる能力
・標準消防ホース又はその他に対する１、１．５又は２インチ放出取付具
・カムロック「クイックコネクト」サクションホースに対する２〜３インチ吸込口取付具
・高圧でのポンプから目的地まで最大１００フィートのポンプオーバーヘッド上昇
・高圧で最大２００フィートの消防ホース定格長さを装填する能力
・ポンプサクションヘッドが、高圧でポンプを使うために水源を最大２５フィート吸引することができること
・消火ホースの速度及び圧力で水及びゲル又は泡状物質などの液体を移送する能力
・液体の供給が尽きると、ポンプシステムを自動的に止める液体圧力検出機能。
【００５１】
装置１００は、消火、水圧サポート、洪水の緩和又は電源ニーズを目的として液体のソーシング及び／又は移送を最適化するために各所に移動させることができる。装置１００を使用して、延焼を遅らせるために建造物又は植物を液体及び／又は泡状物質並びに難燃剤で予め処理することができる。
【００５２】
装置１００の可能な液体源は、以下の１つ又は複数を含む。
・家庭のプール
・井戸
・水槽
・貯水池又は湖
・貯水タンク
・消火栓又は他の公共の水源
・消火ゲル及び泡状物質
【００５３】
図６を参照して、一実施形態による、本明細書に記載のプロセスの１つ又は複数が実施され得る例示的インフラを説明し、図７を参照して、一実施形態による、それによって本明細書に記載のプロセスの１つ又は複数が実行され得る例示的処理システムを説明する。
【００５４】
例えば（ただし、限定する目的ではなく）、これらの例示的インフラ及び／又は例示的処理システムは、様々な非常信号（ＦＥＭＡ、ＮＯＡＡ、軍事、ローカル非常周波数など）のモニタリング及び検出に関して使用することができ、且つ多様なユーザ定義タスク（搭載電池を満充電すること、視覚又は音の警報器を作動させること、搭載ＡＣコンセントに電力を供給することなど）をトリガさせることができる。さらに、この例示的処理システムは、本明細書に図示及び／又は記載する様々なシステムの制御及び／又は動作と共に使用され得る。さらに（ただし、限定する目的ではなく）、この処理システムは、ユニットの電源を管理するために使用することができる（ＡＣ電源及び電池間の識別、切換え及び従事；ＡＣ電源に接続された場合の消耗電池の再充電及び／又は各充電が枯渇した場合の個々の電池間の切換え）。この処理システム及びそのコンポーネントは、軍事用及び／又は高応力（防水、高熱及び衝撃耐性基準）と格付けされる。
【００５５】
システム概要
インフラ
図６は、一実施形態による、例えば（ただし、限定する目的ではなく）様々な非常信号のモニタリング及び検出を行うため並びに多様なユーザ定義タスクをトリガするために使用され得る例示的システム５００を示す。このインフラは、本明細書に記載する様々な機能、プロセス、方法及び／又はソフトウェアモジュールの１つ又は複数をホスティング及び／又は実行するプラットフォーム５１０（例えば、１つ又は複数のサーバ）を含み得る。プラットフォーム５１０は、専用サーバを含み得るか、又は代わりに１つ若しくは複数のサーバの共有リソースを利用するクラウドインスタンスを含み得る。これらのサーバ又はクラウドインスタンスは、並べて配置され得、及び／又は地理的に分散され得る。プラットフォーム５１０は、サーバアプリケーション５１２及び／又は１つ若しくは複数のデータベース５１４も含み得るか、又はサーバアプリケーション５１２及び／又は１つ若しくは複数のデータベース５１４と通信可能に接続され得る。さらに、プラットフォーム５１０は、１つ又は複数のネットワーク５２０を介して１つ又は複数のユーザシステム５３０に通信可能に接続され得る。プラットフォーム５１０は、１つ又は複数のネットワーク５２０を介して１つ又は複数の外部システム５４０（例えば、他のプラットフォーム、ウェブサイトなど）にも通信可能に接続され得る。
【００５６】
１つ又は複数のネットワーク５２０は、インターネットを含むことができ、プラットフォーム５１０は、ハイパーテキスト転送プロトコル（ＨＴＴＰ）、ＨＴＴＰセキュア（ＨＴＴＰＳ）、ファイル転送プロトコル（ＦＴＰ）、ＦＴＰセキュア（ＦＴＰＳ）、セキュアシェルＦＴＰ（ＳＦＴＰ）及び同様のものなどの標準伝送プロトコル並びに専用プロトコルを用いて、インターネットにより１つ又は複数のユーザシステム５３０と通信することができる。プラットフォーム１１０は、１つ又は複数のネットワーク５２０の単一のセットを介して様々なシステムに接続されて示されるが、プラットフォーム５１０は、１つ又は複数のネットワークの異なる複数のセットを介して様々なシステムに接続され得ることが理解されるものとする。例えば、プラットフォーム５１０は、インターネットにより、ユーザシステム５３０及び／又は外部システム５４０のサブセットに接続され得るが、イントラネットにより、１つ又は複数の他のユーザシステム５３０及び／又は外部システム５４０に接続され得る。さらに、数個のユーザシステム１３０及び外部システム５４０、１つのサーバアプリケーション５１２並びに１つ又は複数のデータベース５１４の単一のセットのみが示されているが、インフラは、任意の数のユーザシステム、外部システム、サーバアプリケーション及びデータベースを含み得ることが理解されるものとする。
【００５７】
１つ又は複数のユーザシステム５３０は、デスクトップコンピュータ、ラップトップコンピュータ、タブレットコンピュータ、スマートフォン若しくは他の携帯電話、サーバ、ゲームコンソール、テレビ、セットトップボックス、電子キオスク、ＰＯＳ端末、現金自動預払機及び／又は同様のものを含む（ただし、これらに限定されない）、有線及び／又は無線通信が可能な任意の１つ又は複数の種類のコンピューティングデバイスを含み得る。
【００５８】
プラットフォーム５１０は、１つ又は複数のウェブサイト及び／又はウェブサービスをホスティングするウェブサーバを含み得る。ウェブサイトが提供される実施形態では、ウェブサイトは、例えば、ハイパーテキストマークアップ言語（ＨＴＭＬ）又は他の言語で生成された１つ又は複数の画面（例えば、ウェブページ）を含むグラフィカルユーザインタフェースを含み得る。プラットフォーム５１０は、１つ又は複数のユーザシステム５３０からのリクエストに応答して、グラフィカルユーザインタフェースの１つ又は複数の画面を送信又は提供する。幾つかの実施形態では、これらの画面は、ウィザード形式で提供され得、その場合、２つ以上の画面は、順次提供され得、順次的な画面の１つ又は複数は、１つ又は複数の先行する画面とのユーザ又はユーザシステム５３０のインタラクションに依存し得る。プラットフォーム５１０へのリクエスト及びプラットフォーム５１０からの応答（グラフィカルユーザインタフェースの画面を含む）の両方は、標準通信プロトコル（例えば、ＨＴＴＰ、ＨＴＴＰＳなど）を使用して、インターネットを含み得る１つ又は複数のネットワーク５２０を通して通信され得る。これらの画面（例えば、ウェブページ）は、テキスト、画像、映像、アニメーション、参照（例えば、ハイパーリンク）、フレーム、入力（例えば、テキストボックス、テキスト領域、チェックボックス、ラジオボタン、ドロップダウンメニュー、ボタン、フォームなど）、スクリプト（例えば、JavaScript）及び同様のものなどのコンテンツ及び要素の組み合わせ（ローカルで及び／又は遠隔でプラットフォーム５１０にアクセス可能な１つ若しくは複数のデータベース（例えば、１つ若しくは複数のデータベース５１４）に保存されたデータを含むか、又はそのデータから得られた要素を含む）を含み得る。プラットフォーム５１０は、１つ又は複数のユーザシステム５３０からの他のリクエストにも応答し得る。
【００５９】
プラットフォーム５１０は、１つ若しくは複数のデータベース５１４をさらに含み得るか、１つ若しくは複数のデータベース５１４と通信可能に結合され得るか、又は別の方法で１つ若しくは複数のデータベース５１４にアクセスでき得る。例えば、プラットフォーム５１０は、１つ又は複数のデータベース５１４を管理する１つ又は複数のデータベースサーバを含み得る。ユーザシステム５３０又はプラットフォーム５１０で実行するサーバアプリケーション５１２は、１つ若しくは複数のデータベース５１４に保存されるデータ（例えば、ユーザデータ、フォームデータなど）を提出し、及び／又は１つ若しくは複数のデータベース５１４に保存されるデータへのアクセスをリクエストし得る。限定されないが、MySQL（商標）、Oracle（商標）、IBM（商標）、Microsoft SQL（商標）、Access（商標）及び同様のもの（クラウドベースのデータベース及び専用データベースを含む）を含む任意の適宜のデータベースが利用され得る。データは、例えば、ＨＴＴＰによってサポートされる周知のPOSTリクエストを使用して、ＦＴＰを用いて及び／又は同様のものによりプラットフォーム５１０に送信され得る。このデータ及び他のリクエストは、例えば、プラットフォーム５１０によって実行される、サーブレット又は他のソフトウェアモジュール（例えば、サーバアプリケーション５１２に含まれる）などのサーバ側ウェブ技術によって扱われ得る。
【００６０】
ウェブサービスが提供される実施形態では、プラットフォーム５１０は、１つ又は複数の外部システム５４０からリクエストを受信し、拡張マークアップ言語（ＸＭＬ）、ジャバスクリプトオブジェクトノーテーション（ＪＳＯＮ（JavaScript Object Notation））及び／又は他の適宜若しくは所望のフォーマットで応答を提供し得る。このような実施形態では、プラットフォーム５１０は、１つ若しくは複数のユーザシステム５３０及び／又は１つ若しくは複数の外部システム５４０がウェブサービスとインタラクトし得る様式を定義するアプリケーションプログラミングインタフェース（ＡＰＩ）を提供し得る。従って、１つ若しくは複数のユーザシステム５３０及び／又は１つ若しくは複数の外部システム５４０（これら自体がサーバとなり得る）は、独自のユーザインタフェースを定義することができ、本明細書に記載するバックエンドプロセス、方法、機能性、ストレージ及び／又は同様のものを実施又は別の方法で提供するためにウェブサービスに依存し得る。例えば、このような実施形態では、１つ又は複数のユーザシステム５３０で実行するクライアントアプリケーション５３２は、本明細書に記載する様々な機能、プロセス、方法及び／又はソフトウェアモジュールの１つ若しくは複数又は本明細書に記載する様々な機能、プロセス、方法及び／又はソフトウェアモジュールの１つ若しくは複数の一部を実行するために、プラットフォーム５１０で実行するサーバアプリケーション５１２とインタラクトし得る。クライアントアプリケーション５３２は、「シン（thin）」であり得、この場合、処理は、主にプラットフォーム５１０上のサーバアプリケーション５１２によってサーバ側で実行される。シンクライアントアプリケーションの基本例は、単にウェブページをリクエストし、受信し、且つ１つ又は複数のユーザシステム５３０においてレンダリングするブラウザアプリケーションである一方、プラットフォーム５１０上のサーバアプリケーションは、ウェブページを生成し、且つデータベース機能を管理する役割を果たす。代替的に、クライアントアプリケーションは、「シック（thick）」であり得、この場合、処理は、主に１つ又は複数のユーザシステム５３０によってクライアント側で実行される。クライアントアプリケーション５３２は、プラットフォーム５１０上のサーバアプリケーション５１２と比較して、特定の実施の設計目標に応じて、この「シン」と「シック」との間の範囲に沿った任意の点の処理量を実施し得ることが理解されるものとする。何れにせよ、完全にプラットフォーム５１０上にある（例えば、この場合、サーバアプリケーション５１２が全ての処理を行う）か、又は完全に１つ若しくは複数のユーザシステム５３０上にある（例えば、この場合、クライアントアプリケーション５３２が全ての処理を行う）か、又はプラットフォーム５１０と１つ若しくは複数のユーザシステム５３０との間で分散され得る（例えば、この場合、サーバアプリケーション５１２及びクライアントアプリケーション５３２の両方が処理を行う）、本明細書に記載するアプリケーションは、本明細書に記載するアプリケーションの機能、プロセス又は方法の１つ又は複数を実施する１つ又は複数の実行���能ソフトウェアモジュールを含み得る。
【００６１】
例示的処理デバイス
図７は、本明細書に記載する様々な実施形態に関連して使用され得る例示的有線又は無線システム６００を示すブロック図である。例えば、システム６００は、本明細書に記載する（例えば、アプリケーション又はアプリケーションの１つ若しくは複数のソフトウェアモジュールの保存及び／又は実行を行うための）機能、プロセス若しくは方法の１つ若しくは複数として、又は本明細書に記載する（例えば、アプリケーション又はアプリケーションの１つ若しくは複数のソフトウェアモジュールの保存及び／又は実行を行うための）機能、プロセス若しくは方法の１つ若しくは複数と併せて使用することができ、且つプラットフォーム５１０、１つ若しくは複数のユーザシステム５３０、１つ若しくは複数の外部システム５４０及び／又は本明細書に記載する他の処理デバイスのコンポーネントを表し得る。システム６００は、サーバ又は任意の従来のパーソナルコンピュータ又は有線若しくは無線データ通信が可能な他のプロセッサが使用可能なデバイスであり得る。当業者に明らかなように、他のコンピュータシステム及び／又はアーキテクチャも使用することができる。
【００６２】
システム６００は、好ましくは、プロセッサ６１０などの１つ又は複数のプロセッサを含む。入出力を管理するための補助プロセッサ、浮動小数点数学演算を行うための補助プロセッサ、信号処理アルゴリズムの高速実行に適したアーキテクチャを有する専用マイクロプロセッサ（例えば、デジタル信号プロセッサ）、メイン処理システムの下位のスレーブプロセッサ（例えば、バックエンドプロセッサ）、デュアル若しくはマルチプロセッサシステムのための追加のマイクロプロセッサ若しくはコントローラ及び／又はコプロセッサなどの追加のプロセッサが設けられ得る。このような補助プロセッサは、個別のプロセッサであり得るか、又はプロセッサ６１０と一体化され得る。システム６００と共に使用され得るプロセッサの例には、Pentium（登録商標）プロセッサ、Core i7（登録商標）プロセッサ及びXeon（登録商標）プロセッサ（これらは、全てカリフォルニア州サンタクララのIntel Corporationから入手可能である）が含まれるが、これらに限定されない。
【００６３】
プロセッサ６１０は、好ましくは、通信バス６０５に接続される。通信バス６０５は、ストレージと、システム６００の他の周辺コンポーネントとの間の情報転送を容易にするデータチャネルを含み得る。さらに、データバス、アドレスバス及び／又は制御バス（不図示）を含む通信バス６０５は、プロセッサ６１０との通信に使用される信号のセットを提供し得る。通信バス６０５は、例えば、業界標準アーキテクチャ（ＩＳＡ）、拡張業界標準アーキテクチャ（ＥＩＳＡ）、マイクロチャネルアーキテクチャ（ＭＣＡ）、周辺部品相互接続（ＰＣＩ）ローカルバス、IEEE 488汎用インタフェースバス（ＧＰＩＢ）、IEEE 696/S-100及び／又は同様のものを含む、米国電気電子技術者協会（ＩＥＥＥ）によって公布された規格に準拠したバスアーキテクチャなどの任意の標準又は非標準バスアーキテクチャを含み得る。
【００６４】
システム６００は、好ましくは、主メモリ６１５を含み、二次メモリ６２０も含み得る。主メモリ６１５は、本明細書で論じた機能及び／又はモジュールの１つ又は複数などのプロセッサ６１０で実行するプログラムに関する命令及びデータのストレージを提供する。メモリに保存され、且つプロセッサ６１０によって実行されるプログラムは、C/C++、Java、JavaScript、Perl、Visual Basic、.NET及び同様のものを含む（ただし、これらに限定されない）任意の適宜の言語に従って記述され得、及び／又はコンパイルされ得ることが理解されるものとする。主メモリ６１５は、一般的に、ダイナミックランダムアクセスメモリ（ＤＲＡＭ）及び／又はスタティックランダムアクセスメモリ（ＳＲＡＭ）などの半導体ベースのメモリである。他の半導体ベースのメモリの種類には、例えば、シンクロナスダイナミックランダムアクセスメモリ（ＳＤＲＡＭ）、ラムバスダイナミックランダムアクセスメモリ（ＲＤＲＡＭ）、強誘電ランダムアクセスメモリ（ＦＲＡＭ）及び同様のもの（読出し専用メモリ（ＲＯＭ）を含む）が含まれる。
【００６５】
二次メモリ６２０は、任意選択的に、内部媒体６２５及び／又は可換型媒体６３０を含み得る。可換型媒体６３０は、任意の周知の様式で読み出され及び／又は書き込まれる。可換型ストレージ媒体２３０は、例えば、磁気テープ装置、コンパクトディスク（ＣＤ）ドライブ、デジタル多用途ディスク（ＤＶＤ）ドライブ、他の光学式ドライブ、フラッシュメモリドライブ及び／又は同様のものであり得る。
【００６６】
二次メモリ６２０は、コンピュータ実行可能コード（例えば、開示したソフトウェアモジュール）及び／又は保存された他のデータを有する非一時的コンピュータ可読媒体である。二次メモリ６２０に保存されたコンピュータソフトウェア又はデータは、プロセッサ６１０による実行のために主メモリ６１５に読み込まれる。
【００６７】
代替実施形態では、二次メモリ６２０は、コンピュータプログラム又は他のデータ若しくは命令がシステム６００にロードされることを可能にする他の類似の手段を含み得る。このような手段は、例えば、ソフトウェア及びデータが外部ストレージ媒体６４５からシステム６００に転送されることを可能にする通信インタフェース６４０を含み得る。外部ストレージ媒体６４５の例には、外部ハードディスクドライブ、外部光学式ドライブ、外部光磁気ドライブ及び／又は同様のものが含まれ得る。二次メモリ６２０の他の例には、プログラマブル読出し専用メモリ（ＰＲＯＭ）、消去可能プログラマブル読出し専用メモリ（ＥＰＲＯＭ）、電気的消去可能読出し専用メモリ（ＥＥＰＲＯＭ）及びフラッシュメモリ（ＥＥＰＲＯＭに類似したブロック式メモリ）などの半導体ベースのメモリが含まれ得る。
【００６８】
上述の通り、システム６００は、通信インタフェース６４０を含み得る。通信インタフェース６４０は、ソフトウェア及びデータがシステム６００と外部デバイス（例えば、プリンタ）、ネットワーク又は他の情報源との間で転送されることを可能にする。例えば、コンピュータソフトウェア又は実行可能コードは、通信インタフェース６４０を介してネットワークサーバ（例えば、プラットフォーム５１０）からシステム６００に転送され得る。通信インタフェース６４０の例には、組込みネットワークアダプタ、ネットワークインタフェースカード（ＮＩＣ）、パーソナルコンピュータメモリカード国際協会（ＰＣＭＣＩＡ）ネットワークカード、カードバスネットワークアダプタ、無線ネットワークアダプタ、ユニバーサルシリアルバス（ＵＳＢ）ネットワークアダプタ、モデム、無線データカード、通信ポート、赤外線インタフェース、IEEE 1394 fire-wire及びネットワーク（例えば、１つ若しくは複数のネットワーク５２０）又は別のコンピューティングデバイスとシステム６００をインタフェースで接続可能な任意の他のデバイスが含まれる。通信インタフェース６４０は、好ましくは、イーサネットのIEEE 802規格、ファイバーチャネル、デジタル加入者線（ＤＳＬ）、非対称デジタル加入者線（ＡＤＳＬ）、フレームリレー、非同期転送モード（ＡＴＭ）、サービス総合デジタル網（ＩＳＤＮ）、パーソナル通信サービス（ＰＣＳ）、伝送制御プロトコル／インターネットプロトコル（ＴＣＰ／ＩＰ）、直列回線インターネットプロトコル／ポイントツーポイントプロトコル（ＳＬＩＰ／ＰＰＰ）などの業界公布プロトコル規格を実施するが、カスタマイズされた又は非標準インタフェースプロトコルも同様に実施し得る。
【００６９】
通信インタフェース６４０を介して転送されるソフトウェア及びデータは、一般に、電気通信信号６５５の形式である。これらの信号６５５は、通信チャネル６５０を介して通信インタフェース６４０に提供され得る。一実施形態では、通信チャネル６５０は、有線若しくは無線ネットワーク（例えば、１つ若しくは複数のネットワーク５２０）又は任意の様々な他の通信リンクであり得る。通信チャネル６５０は、信号６５５を運び、幾つか例を挙げると、電線若しくはケーブル、光ファイバ、従来の電話回線、セルラー電話リンク、無線データ通信リンク、無線周波数（「ＲＦ」）リンク又は赤外線リンクを含む様々な有線又は無線通信手段を用いて実装され得る。
【００７０】
コンピュータ実行可能コード（例えば、開示したアプリケーションなどのコンピュータプログラム又はソフトウェアモジュール）は、主メモリ６１５及び／又は二次メモリ６２０に保存される。コンピュータプログラムは、通信インタフェース６４０を介して受信され、主メモリ６１５及び／又は二次メモリ６２０に保存されることも可能である。このようなコンピュータプログラムは、実行されると、本明細書の他の箇所に記載するような開示の実施形態の様々な機能をシステム６００が行うことを可能にする。
【００７１】
本明細書では、「コンピュータ可読媒体」という用語は、システム６００に対して又はシステム６００内でコンピュータ実行可能コード及び／又は他のデータを提供するために使用されるあらゆる非一時的コンピュータ可読ストレージ媒体を指すために使用される。このような媒体の例には、主メモリ６１５、二次メモリ６２０（内部メモリ６２５、可換型媒体６３０及び外部ストレージ媒体６４５を含む）並びに通信インタフェース６４０と通信可能に結合されたあらゆる周辺デバイス（ネットワーク情報サーバ又は他のネットワークデバイスを含む）が含まれる。これらの非一時的コンピュータ可読媒体は、実行可能コード、プログラミング命令、ソフトウェア及び／又は他のデータをシステム６００に提供するための手段である。
【００７２】
ソフトウェアを使用して実施される実施形態では、ソフトウェアは、コンピュータ可読媒体に保存され、可換型媒体６３０、入出力インタフェース６３５又は通信インタフェース６４０によってシステム６００にロードされ得る。このような実施形態では、ソフトウェアは、電気通信信号６５５の形式でシステム６００にロードされる。ソフトウェアは、プロセッサ６１０によって実行されると、好ましくは、本明細書の他の箇所に記載するプロセス及び機能の１つ又は複数をプロセッサ６１０に行わせる。
【００７３】
一実施形態では、入出力インタフェース６３５は、システム６００の１つ又は複数のコンポーネントと、１つ又は複数の入力及び／又は出力デバイスとの間のインタフェースを提供する。入力デバイス例には、センサ、キーボード、タッチスクリーン若しくは他のタッチ式デバイス、生体感知デバイス、コンピュータマウス、トラックボール、ペン型ポインティングデバイス及び／又は同様のものが含まれるが、これらに限定されない。出力デバイスの例には、他の処理デバイス、陰極線管（ＣＲＴ）、プラズマディスプレイ、発光ダイオード（ＬＥＤ）ディスプレイ、液晶ディスプレイ（ＬＣＤ）、プリンタ、真空蛍光表示管（ＶＦＤ）、表面伝導電子エミッタディスプレイ（ＳＥＤ）、電界放出ディスプレイ（ＦＥＤ）及び／又は同様のものが含まれるが、これらに限定されない。タッチパネルディスプレイの場合（例えば、スマートフォン、タブレット又は他の携帯デバイスにおいて）などのケースによっては、入出力デバイスが一体化され得る。
【００７４】
システム６００は、音声ネットワーク及び／又はデータネットワーク上の無線通信を容易にする１つ又は複数の任意選択的な無線通信コンポーネントも含み得る（例えば、ユーザシステム５３０の場合）。無線通信コンポーネントは、アンテナシステム６７０、無線システム６６５及びベースバンドシステム６６０を含む。システム６００において、無線周波数（ＲＦ）信号は、無線システム６６５の管理下でアンテナシステム６７０によって無線で送信及び受信される。
【００７５】
一実施形態では、アンテナシステム６７０は、１つ又は複数のアンテナ並びにアンテナシステム６７０に送信及び受信信号経路を提供するための切換え機能を行う１つ又は複数のマルチプレクサ（不図示）を含み得る。受信経路では、受信されたＲＦ信号は、マルチプレクサから、受信されたＲＦ信号を増幅し、且つ増幅された信号を無線システム６６５に送る低雑音増幅器（不図示）に結合され得る。
【００７６】
ある代替実施形態では、無線システム６６５は、様々な周波数で通信するように構成された１つ又は複数の無線機を含み得る。一実施形態では、無線システム６６５は、１つの集積回路（ＩＣ）で復調器（不図示）及び変調器（不図示）を統合し得る。復調器及び変調器は、別個のコンポーネントであり得る。入来経路では、復調器は、ＲＦ搬送波信号を除去し、ベースバンド受信音声信号を残し、これは、無線システム６６５からベースバンドシステム６６０に送られる。
【００７７】
受信された信号が音声情報を含む場合、ベースバンドシステム６６０は、信号を復調し、それをアナログ信号に変換する。次いで、信号は、増幅され、且つスピーカに送られる。ベースバンドシステム６６０は、マイクロホンからアナログ音声信号も受信する。これらのアナログ音声信号は、デジタル信号に変換され、且つベースバンドシステム６６０によって符号化される。また、ベースバンドシステム６６０は、伝送のためにデジタル信号を符号化し、且つ無線システム６６５の変調器部分に回されるベースバンド送信音声信号を生成する。変調器は、ベースバンド送信音声信号をＲＦ搬送波信号と混合し、それによりアンテナシステム６７０に回され、且つ電力増幅器（不図示）を通過し得るＲＦ送信信号を生成する。電力増幅器は、ＲＦ送信信号を増幅し、それをアンテナシステム６７０に回し、アンテナシステム６７０では、この信号は、伝送のためにアンテナポートに切換えられる。
【００７８】
ベースバンドシステム６６０は、中央処理装置（ＣＰＵ）であり得るプロセッサ６１０にも通信可能に結合される。プロセッサ２１０は、データ記憶領域６１５及び６２０にアクセスできる。プロセッサ６１０は、好ましくは、主メモリ６１５又は二次メモリ６２０に保存することができる命令（すなわち開示したアプリケーションなどのコンピュータプログラム又はソフトウェアモジュール）を実行するように構成される。コンピュータプログラムは、ベースバンドプロセッサ６６０から受信され、且つ主メモリ６１０若しくは二次メモリ６２０に保存することもできるか、又は受信時に実行することもできる。このようなコンピュータプログラムは、実行されると、開示の実施形態の様々な機能をシステム６００が行うことを可能にする。
【００７９】
プロセス概要
これより、非常用装置１００を使用するためのプロセスの１つ又は複数の実施形態を詳細に説明する。記載するプロセスは、例えば、プラットフォーム５１０の１つ若しくは複数のプロセッサによって完全に実行される場合、１つ若しくは複数のユーザシステム５３０の１つ若しくは複数のプロセッサによって完全に実行される場合又はアプリケーションのある部分若しくはモジュールがプラットフォーム５１０によって実行され、且つアプリケーションの他の部分若しくはモジュールが１つ若しくは複数のユーザシステム５３０によって実行されるようにプラットフォーム５１０及び１つ若しくは複数のユーザシステム５３０間で分散される場合がある、本明細書で論じたアプリケーション（例えば、サーバアプリケーション５１２、クライアントアプリケーション５３２及び／又はサーバアプリケーション５１２及びクライアントアプリケーション５３２の両方を含む分散アプリケーション）として、１つ又は複数のハードウェアプロセッサ（例えば、プロセッサ６１０）によって実行される１つ又は複数のソフトウェアモジュールにおいて具現化され得ることが理解されるものとする。記載したプロセスは、ソースコード、オブジェクトコード及び／又はマシンコードで表現される命令として実施され得る。これらの命令は、１つ若しくは複数のハードウェアプロセッサによって直接実行され得るか、又は代替的にオブジェクトコードとハードウェアプロセッサとの間で動作する仮想マシンによって実行され得る。さらに、開示したアプリケーションは、１つ若しくは複数の既存のシステム上に構築され得るか、又は１つ若しくは複数の既存のシステムとインタフェースが取られ得る。
【００８０】
代替的に、記載したプロセスは、ハードウェアコンポーネント（例えば、汎用プロセッサ、集積回路（ＩＣ）、特定用途向け集積回路（ＡＳＩＣ）、デジタル信号プロセッサ（ＤＳＰ）、フィールドプログラマブルゲートアレイ（ＦＰＧＡ）若しくは他のプログラマブル論理デバイス、ディスクリートゲート若しくはトランジスタ論理など）、ハードウェアコンポーネントの組み合わせ又はハードウェア及びソフトウェアコンポーネントの組み合わせとして実施され得る。ハードウェア及びソフトウェアの互換性を明白に示すために、様々な説明のためのコンポーネント、ブロック、モジュール、回路及びステップが一般にそれらの機能性の観点から本明細書において説明される。このような機能性がハードウェアとして又はソフトウェアとして実施されるかは、特定のアプリケーション及びシステム全体に課される設計制約によって決まる。当業者は、特定のアプリケーションごとに、記載した機能性を様々な方法で実施することができるが、このような実施決定は、本発明の範囲からの逸脱を生じさせると解釈されるものではない。さらに、あるコンポーネント、ブロック、モジュール、回路又はステップ内の機能のグルーピングは、説明を簡単にするためのものである。特定の機能又はステップは、本発明から逸脱することなく、あるコンポーネント、ブロック、モジュール、回路又はステップから、別のコンポーネント、ブロック、モジュール、回路又はステップに移動させることができる。
【００８１】
消火及び火災制御
図８を参照すると、非常用装置１００を使用する例示的適用プロセス７００は、消火及び火災制御のためのものである。液体移送ポンプの可変速能力は、高流量消防ホースを用いた高流量／高圧の水及び／又は難燃剤による消火能力を提供する。水は、固定水源（プール、湖、貯水池、タンクなど）を用いてサクションホースを通してポンプに供給される。非常用装置１００は、可動性があり、それによりサクションホースの挿入を可能にするほど水源の近くに非常用装置１００を移動させることが可能となる。
【００８２】
ステップ７１０では、非常用装置１００は、ＵＩ／ユーザ制御及び表示パネル２９０により電源をオンにされる。
【００８３】
ステップ７２０では、「消火」選択肢又は第５の位置３６２の可変圧力は、ＵＩ／ユーザ制御及び表示パネル２９０から選択される。第５の位置３６２では、全ての非常用装置システムへの電源がオンにされ、且つユーザが、回転スイッチ３１４を用いて低〜高の液体圧力を手動で制御することにより、様々な電流及び周波数率を電気ポンプモータコントローラ３６０に送る。
【００８４】
ステップ７３０では、必要に応じて、非常用装置１００は、電源（例えば、ＡＣ電源）から切り離される。
【００８５】
ステップ７４０では、非常用装置１００は、所望の消火場所まで手動で運ばれる（これは、車輪１１４のための電気モータ１１２の作動を含み得る）。
【００８６】
ステップ７５０では、サクションホース１５０、１７０、４１６が収納クレードルから取り外され、サクションポート又は吸入カプラ４０８に接続される。
【００８７】
ステップ７６０では、サクションホース１５０、１７０、４１６が貯水池内に配置される。
【００８８】
ステップ７７０では、消防ホース１７０（ノズル１８０を有する）が収納クレードルから取り外され、放出カプラ４１０に接続される。ノズル１８０は、オフ位置にあることが確認される。該当する場合、難燃剤アダプタが追加される。
【００８９】
ステップ７８０では、選択された所望の圧力（例えば、最高圧力）のポンピングがＵＩ／ユーザ制御及び表示パネル２９０により開始され、ＵＩ／ユーザ制御及び表示パネル２９０は、充電の状態及び電流使用量に基づいた現存する充電に関する残り時間を継続的に示す。
【００９０】
ステップ７９０では、ノズル１８０が所望のレベルに開かれ、噴霧が生じる。充電の状態及び電流使用量に基づいた現存する充電に関する残り時間を継続的に示すためのＵＩ／ユーザ制御及び表示パネル２９０である。
【００９１】
ステップ８００では、完了時、スイッチ３１４を「オフ」位置３５２に回転させることにより、ポンプ１２０がオフにされる。非常用装置１００は、保管場所に運び戻され、オフにされ得る。
【００９２】
洪水制御
図９を参照すると、非常用装置１００を使用する例示的適用プロセス８１０は、洪水制御のためのものである。非常用装置１００は、洪水を緩和させるために消火用付属品（すなわち浸水地帯から液体を除去するためのサクションホース１５０、１７０、４１６及び消防署１４０）を利用する。消火のためのインレットホースとして通常使用されるサクションホース１５０、１７０、４１６は、真空ホースと同じように使用される。
【００９３】
ステップ８２０では、非常用装置１００がＵＩ／ユーザ制御及び表示パネル２９０により電源をオンにされる。
【００９４】
ステップ８３０では、「洪水制御」選択肢又は第５の位置３６２の可変圧力は、ＵＩ／ユーザ制御及び表示パネル２９０から選択される。第５の位置３６２では、全ての非常用装置システムへの電源がオンにされ、且つユーザが、回転スイッチ３１４を用いて低〜高の液体圧力を手動で制御することにより、様々な電流及び周波数率を電気ポンプモータコントローラ３６０に送る。
【００９５】
ステップ８４０では、必要に応じて、非常用装置１００は、電源（例えば、ＡＣ電源）から切り離される。
【００９６】
ステップ８５０では、非常用装置１００は、所望の洪水制御場所まで手動で運ばれる（これは、車輪１１４のための電気モータ１１２の作動を含み得る）。
【００９７】
ステップ８６０では、サクションホース１５０、１７０、４１６が収納クレードルから取り外され、サクションポート又は吸入カプラ４０８に接続される。
【００９８】
ステップ８７０では、サクションホース１５０、１７０、４１６が浸水地帯に配置される。
【００９９】
ステップ８８０では、消防ホース１７０（ノズル１８０を有する）が収納クレードルから取り外され、放出カプラ４１０に接続される。ノズル１８０は、オフ位置にあることが確認される。
【０１００】
ステップ８９０では、選択された所望の圧力（例えば、最高圧力）のポンピングがＵＩ／ユーザ制御及び表示パネル２９０により開始され、ＵＩ／ユーザ制御及び表示パネル２９０は、充電の状態及び電流使用量に基づいた現存する充電に関する残り時間を継続的に示す。ノズル１８０が所望のレベルに開かれ、浸水地帯からの水の除去が生じる。充電の状態及び電流使用量に基づいた現存する充電に関する残り時間を継続的に示すためのＵＩ／ユーザ制御及び表示パネル２９０である。
【０１０１】
ステップ９００では、完了時、スイッチ３１４を「オフ」位置３５２に回転させることにより、ポンプ１２０がオフにされる。非常用装置１００は、保管場所に運び戻され、オフにされ得る。
【０１０２】
水圧のサポート及び増補
図１０を参照すると、非常用装置１００を使用する例示的適用プロセス９１０は、液体移送ポンプ１２０の可変速能力を用いて、圧力喪失の場合に住宅又は他の施設の水圧を昇圧させるためのものである。非常用装置１００は、自動的に家庭の水圧喪失を感知し、家庭用昇圧機能を作動させる能力も有する。既存のブースターポンプを備えた家の場合、非常用装置１００は、停電中の電力バックアップを提供する（下記の「補助電源」機能を参照されたい）。住宅用水条例は、飲料水供給圧力が３０ｐｓｉ（最低）〜８０ｐｓｉ（最大）であることを規定している。圧力調整器は、一般的に、製造段階で５０ｐｓｉに予め設定されている。圧力が低下した／失われた場合（すなわち地方自治体の変電所の電力喪失、火災時など）、非常用装置１００は、水圧を所望のレベルに戻すように増加させる「ブースターポンプ」として機能し得る。
【０１０３】
ステップ９２０では、非常用装置１００がＵＩ／ユーザ制御及び表示パネル２９０により電源をオンにされる。
【０１０４】
ステップ９３０では、「水圧増補」選択肢、自動選択肢又は第５の位置３６２の可変圧力は、ＵＩ／ユーザ制御及び表示パネル２９０から選択される。第５の位置３６２では、全ての非常用装置システムへの電源がオンにされ、且つユーザが、回転スイッチ３１４を用いて低〜高の液体圧力を手動で制御することにより、様々な電流及び周波数率を電気ポンプモータコントローラ３６０に送る。
【０１０５】
ステップ９４０では、必要に応じて、非常用装置１００は、電源（例えば、ＡＣ電源）から切り離される。
【０１０６】
ステップ９５０では、非常用装置１００は、所望の圧力増補場所まで手動で運ばれる（これは、車輪１１４のための電気モータ１１２の作動を含み得る）。
【０１０７】
ステップ９６０では、関連するホース１５０、１７０、４１６、４１８が収納クレードルから取り外され、サクションポート又は吸入カプラ４０８及び放出カプラ４１０に接続される。
【０１０８】
ステップ９７０では、バイパス弁が回され、水流が非常用装置１００に向けられる。
【０１０９】
ステップ９８０では、選択された所望の圧力（例えば、最高圧力）のポンピングがＵＩ／ユーザ制御及び表示パネル２９０により開始され、ＵＩ／ユーザ制御及び表示パネル２９０は、充電の状態及び電流使用量に基づいた現存する充電に関する残り時間を継続的に示す。充電の状態及び電流使用量に基づいた現存する充電に関する残り時間を継続的に示すためのＵＩ／ユーザ制御及び表示パネル２９０である。
【０１１０】
ステップ９９０では、完了時、スイッチ３１４を「オフ」位置３５２に回転させることにより、ポンプ１２０がオフにされる。非常用装置１００は、保管場所に運び戻され、オフにされ得る。
【０１１１】
補助電源
図１１を参照すると、非常用装置１００を使用する例示的適用プロセス１０００は、電池エネルギー貯蔵により、非常事態に内蔵電源を提供するためのものである。非常用装置は、電池貯蔵によって供給される１２０及び／又は２４０ボルトの電気コンセント３０６により補助電源を提供する。
【０１１２】
ステップ１０１０では、非常用装置１００がＵＩ／ユーザ制御及び表示パネル２９０により電源をオンにされる。
【０１１３】
ステップ１０２０では、「補助電源」又は「オン」の第２のスイッチ位置３５４は、ＵＩ／ユーザ制御及び表示パネル２９０から選択される。第２のスイッチ位置３５４では、電力が搭載ＡＣコネクタ／コンセント３０６、駆動輪電気モータ１１２並びにユーザ制御及び表示パネル２９０に供給される。
【０１１４】
ステップ１０３０では、必要に応じて、非常用装置１００は、電源（例えば、ＡＣ電源）から切り離される。
【０１１５】
ステップ１０４０では、非常用装置１００は、非常電源が必要とされる所望の場所まで手動で運ばれる（これは、車輪１１４のための電気モータ１１２の作動を含み得る）。
【０１１６】
ステップ１０５０では、所望の付属品が電気コンセント３０６に差し込まれる。
【０１１７】
ステップ１０６０では、必要に応じて付属品が起動され、ＵＩ／ユーザ制御及び表示パネル２９０は、充電の状態及び電流使用量に基づいた現存する充電に関する残り時間をディスプレイ３９０に示す。
【０１１８】
ステップ１０７０では、完了時、スイッチ３１４を「オフ」位置３５２に回転させることにより、非常用装置１００がオフにされる。非常用装置１００は、保管場所に運び戻され、オフにされ得る。
【０１１９】
遠隔起動及び検出
図１２を参照すると、非常用装置１００を使用する例示的適用プロセス１１００は、無線及び／又はラジオ非常放送を継続的にモニタリングし、警報が出された場合に自動機能を行うためのものである。行われる自動機能には、可聴警報器３００を鳴らすこと、視覚的警報装置／ストロボ／フラッシュライト２９８を作動させること、長時間の使用を見込んで満電池充電を開始すること、補助電気コンセント３０６に通電すること及び／又はユーザ固有の予めプログラミングされたマクロを実行することが含まれるが、これらに限定されない。
【０１２０】
ステップ１１１０では、非常用装置１００がＵＩ／ユーザ制御及び表示パネル２９０により電源をオンにされる。
【０１２１】
ステップ１１２０では、「待機」又は「Stby」の第３のスイッチ位置３５６は、ＵＩ／ユーザ制御及び表示パネル２９０から選択される。
【０１２２】
第３のスイッチ位置３５６では、ステップ１１３０において、非常用装置１００が外部の無線、WIFI及び／又は電話信号をモニタリングする。
【０１２３】
ステップ１１４０では、ＣＰＵ３２０は、１つ又は複数のモニタリングされた信号が所定の基準を満たすか否かを決定する。「いいえ」の場合、制御は、ステップ１１３０に戻る。「はい」の場合、制御は、ステップ１１５０に移る。
【０１２４】
ステップ１１５０では、ＣＰＵ３２０は、以下のユーザが予め設定した機能：可聴警報器３００を鳴らすこと、視覚的警報装置／ストロボ／フラッシュライト２９８を作動させること、長時間の使用を見込んで１つ又は複数の充電式電池１３０の満充電を開始すること、補助電気コンセント３０６に通電すること及び／又はユーザ固有の予めプログラミングされたマクロを実行することの１つ又は複数をトリガする。
【０１２５】
本発明の様々な実施形態を上記に記載したが、これらは、限定としてではなく、例として提示されたものであることが理解されるものとする。同様に、様々な図面は、本開示に関する例示的なアーキテクチャ又は他の構成を描写し得るが、これは、本開示に含まれ得る特徴及び機能性の理解を促進するために行われたものである。本発明は、図示した例示的アーキテクチャ又は構成に限定されず、所望の特徴は、様々な代替アーキテクチャ及び構成を用いて実施することができる。実際、本開示の所望の特徴を実施するために、どのように代替の機能的、論理的又は物理的区分及び構成を実施することができるかが当業者に明らかとなるであろう。
【０１２６】
本開示を様々な例示的実施形態及び実装形態に関して上記に記載したが、個々の実施形態の１つ又は複数に記載した様々な特徴、態様及び機能性は、適用性に関して、それらが記載された特定の実施形態に限定されず、代わりに単独又は様々な組み合わせで本開示の他の実施形態の１つ又は複数に適用され得る（そのような実施形態が記載されているか否か及びそのような特徴が記載された実施形態の一部として提示されているか否かにかかわらず）ことが理解されるものとする。従って、本開示の広がり及び範囲は、上記に記載した例示的実施形態の何れによっても限定されるものではない。
【０１２７】
本明細書で使用される用語及びフレーズ並びにそれらの変形形態は、特に明記しない限り、限定とは対照的なオープンエンド形式として解釈されるものとする。上記の例として、「含む」という用語は、「含むが、限定されない」などを意味すると解されるものであり、「例」という用語は、議論されているアイテムの例示的実例（その完全な又は限定的なリストではなく）を提供するために使用され、「１つの（a）」又は「１つの（an）」という用語は、「少なくとも１つ」、「１つ又は複数」などを意味すると解されるものであり、且つ「従来の」、「伝統的な」、「通常の」、「標準的な」、「知られている」及び類似の意味の用語などの形容詞は、記載するアイテムを、ある期間に又はある時点で入手可能なアイテムに限定すると解釈されるものではなく、代わりに現在又は未来の何れかの時点において入手可能な又は知られている、従来の、伝統的な、通常の又は標準的な技術を包含すると解されるものとする。同様に、本明細書が、当業者に明白な又は当業者に知られている技術に言及する場合、このような技術は、現在又は未来の何れかの時点において当業者に明白な又は知られている技術を包含する。
【０１２８】
ある場合の「１つ又は複数」、「少なくとも」、「ただし限定されない」又は他の類似のフレーズなどの拡大用語及びフレーズの存在は、このような拡大フレーズが存在しない場合、より狭いケースが意図されるか又は必要とされることを意味すると解されるものではない。
【図１】
2021512573.tif 000003
【図２】
2021512573.tif 000004
【図３Ａ】
2021512573.tif 000005
【図３Ｂ】
2021512573.tif 000006
【図４】
2021512573.tif 000007
【図５】
2021512573.tif 000008
【図６】
2021512573.tif 000009
【図７】
2021512573.tif 000010
【図８】
2021512573.tif 000011
【図９】
2021512573.tif 000012
【図１０】
2021512573.tif 000013
【図１１】
2021512573.tif 000014
【図１２】
2021512573.tif 000015
【国際調査報告】
2021512573.tif 000016
2021512573.tif 000017
2021512573.tif 000018